(57)【要約】【課題】  瞬時に生じる高電圧あるいは過電流に対しても回路を保護することが可能で、グロー式、ラピッド式、インバータ式の従来の蛍光灯及びＬＥＤ蛍光灯の点灯装置に対応することのできる高電圧定電流回路を提供するものである。【解決手段】  交流電流を直流電流に変換する整流部と、整流部により変換された直流電流を増幅させる電流増幅部と、定電流制御部と、光源とからなる高電圧定電流回路において、整流部は並列接続された複数の整流器からなるとともに、パルス的に発生した過電流を制御するよう構成とする。【選択図】図１
2010287311.tif 000002
【特許請求の範囲】
【請求項１】
交流電流を直流電流に変換する整流部と、前記整流部により変換された前記直流電流を増幅させる電流増幅部と、定電流制御部と電力を必要とする目的デバイスからなる高電圧定電流回路において、前記整流部は並列接続された複数の整流器からなるとともに、パルス的に発生した過電流を制御するよう構成されたことを特徴とする高電圧定電流回路。
【請求項２】
前記高電圧定電流回路内で発生した電力を消費・蓄積・放出する受動素子を備えたことを特徴とする請求項１に記載の高電圧定電流回路。
【請求項３】
前記電流制御部が、定電流ダイオードであることを特徴とする請求項１及び請求項２に記載の高電圧定電流回路。
【請求項４】
回路前部に耐電圧ダイオードを付加した請求項１、および請求項２、および請求項３の高電圧定電流回路
【請求項５】
請求項１〜４のいずれか高電圧定電流回路を付帯したＬＥＤ照明器具。
【発明の詳細な説明】
【技術分野】
【０００１】  本発明は、電気回路および照明器具に関するものである。
【背景技術】
【０００２】  現在、一般に使用されている蛍光灯の点灯装置には、グロー式、ラピッド式、インバータ式、マルチインバータ式の４種類がある。グロー式、ラピッド式、インバータ式の蛍光灯点灯装置に必要な入力電流は２００〜２６５Ｖであり、家庭用電圧１００Ｖ・２００Ｖで十分に対応できる。特に、近年普及が進んでいるインバータ式の蛍光灯点灯装置は、フィラメント、安定器（限流コイル）及びコンデンサから構成される直列共振回路（点灯負荷回路）と商用電源５０／６０Ｈｚ対応の高周波インバータ回路とからなり、高周波インバータ回路より点灯負荷回路に入力された共振周波数付近の単一周波数（２００００〜５００００Ｈｚ）が共振作用によって高電圧を発生させることで蛍光灯を点灯させ、点灯後は蛍光管内の電流によって低電圧で定常点灯状態とすることによって蛍光灯のちらつきを少なくしている。【０００３】  しかしながら、蛍光管の寿命が末期になると蛍光管内の電流が減少し直列共振状態へと近づくため、入力電流がはじめの入力電流よりも大きくなってしまい、限流コイルの温度上昇を招いてしまう。さらには、蛍光管内の電流が増加して限流コイルの許容電流を超えてしまうと限流コイル自体が限流能力を失い、急激な電流増加が起きる（過電流の発生）。このような状態になると、限流コイルが急激な温度上昇によって破壊されるだけでなく、高周波インバータ回路の破壊や蛍光灯のフィラメントの断線も引き起こり、装置全体が使用不能となるだけでなく火災が発生する恐れもでてくる。現在では、特許文献１に記載の「過電流検出回路」のように、入力電流を整流する整流平滑手段とインバータ回路との間に負荷電流を検出する電流検出抵抗器や電流増幅比較回路を設け、回路内の電流がある一定の規定値を超えた場合にその信号を検出してインバータ回路の駆動を制御することで発生した過電流による回路の破壊を防止している。【０００４】  また、省エネルギーの照明器具として推奨されるＬＥＤは、ＬＥＤ電球としては普及してきたものの、ＬＥＤ蛍光灯としての普及は遅れている。その原因の一つとしてＬＥＤ蛍光灯点灯装置では従来の蛍光灯点灯装置に必要な安定器（グロー式、ラピッド式及びインバータ式）を必要とせず、従来の蛍光灯点灯装置を使用してＬＥＤ蛍光灯を点灯させる場合には安定器が作動しないように配線を変える等の措置を取るか、型によっては配線を変えても使用できないものもあり、ＬＥＤ蛍光灯においては従来の蛍光灯点灯装置と同じ回路を使用することは難しく、特殊な回路が必要とされる。したがって、省エネルギー化の目的で使用するはずのＬＥＤ蛍光灯を使用することで、逆に費用の負担がかかってしまう。このような課題に対し、特許文献２では従来のグロー式、ラピッド式、インバータ式の蛍光灯点灯装置に対しての支障がなく、いずれの蛍光灯点灯装置にも対応可能なＬＥＤ照明灯が開示されている。
【特許文献１】特開２００８−１７６４９号公報
【特許文献２】特開２００８−２７７１８８号公報
【発明の開示】
【発明が解決しようとする課題】
【０００５】  しかしながら、特許文献１においては、過電流を検出してそれが回路内に流れるのを制御することができるだけでなく、装置自体を小型化することができるものの、事前に過電流検出電流値や電圧差を推定して電流検出抵抗器の抵抗値を決めておかなければならないため、瞬時に大きな電圧がかかった場合に対応できないという可能性があるという課題があった。【０００６】  また、特許文献２の発明においては、従来のグロー式、ラピッド式、インバータ式の蛍光灯点灯装置に対応可能であるものの、図３（ａ）乃至（ｃ）に示すようにすべてのものに共通の回路でないため、使用する際になんらかの工事あるいは新しい蛍光灯点灯装置が必要となるという課題があった。【０００７】  本発明はかかる事情についてなされたものであり、瞬時に生じる高電圧あるいは過電流に対しても回路を保護することが可能で、グロー式、ラピッド式、インバータ式の従来の蛍光灯及びＬＥＤ蛍光灯の点灯装置に対応することのできる高電圧定電流回路を提供するものである。
【課題を解決するための手段】
【０００８】  上記の課題を解決するために、本発明の請求項１に記載の高電圧定電流回路においては、交流電流を直流電流に変換する整流部と、整流部により変換された直流電流を増幅させる電流増幅部と、定電流制御部と、光源とからなり、整流部が並列接続された複数の整流器からなるとともに、パルス的に発生した過電流を制御するよう構成することによって、検出器を必要としない構成であるので事前にパラメータの規定値を設定する必要がないという作用を要する。【０００９】  また、本発明の請求項２に記載の高電圧定電流回路においても、請求項１に記載の高電圧定電流回路に高電圧定電流回路内で発生した電力を消費・蓄積・放出する受動素子を加えただけの構造であるので、請求項１に記載の高電圧定電流回路と同様に、検出器を必要としない構成であるので事前にパラメータの規定値を設定する必要がないという作用を要する。【００１０】  また、本発明の請求項３に記載の高電圧定電流回路は、請求項１及び請求項２に記載の高電圧定電流回路において電流制御部が定電流ダイオードであるものである。
このような構成においては、定電流ダイオードが整流部の機能を制御し、高電圧定電流回路の電流と電圧のバランスを調整するという作用があるだけでなく、従来の蛍光灯点灯装置における安定器の働きを兼務するという作用がある。
【発明の効果】
【００１１】  本発明の高電圧定電流回路では、グロー式、ラピッド式、インバータ式のいずれの従来の蛍光灯だけでなく、ＬＥＤ蛍光灯を同じ点灯装置を用いて点灯装置の構成を変えることなく使用できるとともに、蛍光管の寿命末期に発生する過電流によるコイルやフィラメントなどの照明器具部品の急激な温度上昇に伴う回路の破壊の危険性がないという効果がある。
【産業上の利用可能性】
【００１２】  本発明の高電圧定電流回路は、グロー式、ラピッド式、インバータ式の従来の蛍光灯及びＬＥＤ蛍光灯の点灯装置に有用である。
【図面の簡単な説明】
【００１３】
【図１】本発明の電気回路の概念図である。
【図１】
2010287311.tif 000003